(57)【要約】【課題】  へルメット内に収納して、そのヘルメットと分離しないように一体化することのできる防災用品収納または二輪車ツーリング用品収納用バッグの提供。【解決手段】  バッグ本体５の基部２をヘルメット１の開口に略整合させ、バッグ本体５にヘルメット把持ベルト６を取付ける。そして、ヘルメット１内にバッグ本体５を収納した状態でヘルメット１外周にヘルメット把持ベルト６を掛け渡す。【選択図】        図１
2010136783.tif 000002
【特許請求の範囲】
【請求項１】
ヘルメット(1) の開口に略整合する平坦な基部(2) を有し、その基部(2) の全周縁に側壁部(3) が立ち上げられ、その側壁部(3) の上縁が上面部(4)により閉塞されたバッグ本体(5)と、
前記バッグ本体(5)に突設され、バッグ本体(5)を横断するように配置されるヘルメット把持ベルト(6)と、を具備し、
ヘルメット(1) 内にバッグ本体(5)を収納した状態で、前記ヘルメット把持ベルト(6)がヘルメット(1) 外周を把持するように掛け渡されて、バッグ本体(5)とへルメット(1) とが分離しないように構成されるヘルメットインナーバッグ。
【請求項２】
請求項１において、
前記側壁部(3) の両側に一対の逆Ｖ字状のゴム製の前記ヘルメット把持ベルト(6)が突設されると共に、各ベルト(6)の先端にバックル(7) の係止部(7a)と係合部(7b)とが取付けられて、それらにより両ベルト(6)の先端どうしが係脱自在に係合されるヘルメットインナーバッグ。
【請求項３】
請求項１または請求項２において、
前記バッグ本体(5)の側壁部(3) および／または基部(2) に壁面係止手段(8) が設けられたヘルメットインナーバッグ。
【請求項４】
請求項３において、
壁面係止手段(8) として、基部(2) に壁面吸着用の磁石(8a)を有し、その基部(2) の縁にフック係止部(8b)が設けられたヘルメットインナーバッグ。
【請求項５】
請求項１〜請求項４のいずれかにおいて、
前記バッグ本体(5)の上面部(4)が、ヘルメット(1) の内の空洞部に略整合するドーム状の凸面(11)に形成され、前記側壁部(3) に開閉自在なファスナ(9) が設けられたヘルメットインナーバッグ。
【請求項６】
請求項５において、
前記側壁部(3) の上縁に各ヘルメット把持ベルト(6)の一端が止着されたヘルメットインナーバッグ。
【請求項７】
請求項５において、
前記ドーム状の凸面(11)にゴム皮膜を有し、それが自由状態でドームを形成するように弾性的に膨出するヘルメットインナーバッグ。
【請求項８】
請求項１〜請求項７のいずれかにおいて、
前記基部(2) または側壁部(3) に持運び用ベルト(12)が設けられたヘルメットインナーバッグ。
【発明の詳細な説明】
【技術分野】
【０００１】
本発明は、主として防災用具や、二輪車のツーリング用具等を収納することができるバッグであり、ヘルメットの空間部分に収納することができる意匠性に富んだバッグに関する。
【背景技術】
【０００２】
地震等に備えて、防災用品や救急用品を会社の事務所や工場等に備える場合が多くなってきている。防災用品として、ヘルメットや救急医薬品、その他が必要になる。それらは適宜な保管場所にまとめて保管されていることが多い。
しかしながら、事務所等において地震等の災害が起きた緊急時に、一定の保管場所から多人数の防災用品を取出して、分配することは必ずしも容易なことではない。そこで、各自が防災用品をすぐに取出して身につけられる準備が必要である。この場合には、各自の机等に隣接した位置に、それらが保管されていれば、緊急時に迅速に各自対応できる。しかしながら、必要最小限の防災用品であっても、その保管スペースをかなり必要とする。
また、二輪車にはヘルメット収納部が存在するものもあるが、そのスペースは狭く、他の用具等をあまり収納できない。
【０００３】
そこで、ヘルメット内部の空洞部分を利用し、そこに防災用具入りバッグを収納しておく提案が下記特許文献に記載されている。これはヘルメット内にチャックつき袋を収納した状態で入れておくことができるものである。その袋内にはマスク、ビニール袋、酸素吸入器、地図、包帯、薬品等を入れておくことができる。このようなヘルメットを壁面のホルダーに着脱自在に固定しておき、災害発生時に壁面から各自がヘルメットを取外すと共にその内部の携行用品を携行して避難するものである。
【０００４】
【特許文献１】特開昭２００２−１３６６１４号公報
【発明の開示】
【発明が解決しようとする課題】
【０００５】
ヘルメット内に携行用品用袋を収納したものは、両者が分離しやすい状態にあるため、両者を一体として壁面等に取り付けるのが容易ではない。また、ヘルメットをかけ替える度ごとに、内部の袋が脱落しないように注意する必要があり面倒である。さらにはヘルメットの内部空間以上の大きな袋を収納することができず、災害用品等の収納不足になりがちである。また、ヘルメットから取出した袋は、手に保持した状態で携行する必要があり、災害時に手が塞がる危険がある。
そこで、本発明はこれらの問題点を取除いた省スペースで、どこにでも取付けることができ、ヘルメットに内装できるバッグを提供することを課題とする。
【課題を解決するための手段】
【０００６】
請求項１に記載の本発明は、ヘルメット(1) の開口に略整合する平坦な基部(2) を有し、その基部(2) の全周縁に側壁部(3) が立ち上げられ、その側壁部(3) の上縁が上面部(4)により閉塞されたバッグ本体(5)と、
前記バッグ本体(5)に突設され、バッグ本体(5)を横断するように配置されるヘルメット把持ベルト(6)と、を具備し、
ヘルメット(1) 内にバッグ本体(5)を収納した状態で、前記ヘルメット把持ベルト(6)がヘルメット(1) 外周を把持するように掛け渡されて、バッグ本体(5)とへルメット(1) とが分離しないように構成されるヘルメットインナーバッグである。
【０００７】
請求項２に記載の本発明は、請求項１において、
前記側壁部(3) の両側に一対の逆Ｖ字状のゴム製の前記ヘルメット把持ベルト(6)が突設されると共に、各ベルト(6)の先端にバックル(7) の係止部(7a)と係合部(7b)とが取付けられて、それらにより両ベルト(6)の先端どうしが係脱自在に係合されるヘルメットインナーバッグである。
請求項３に記載の本発明は、請求項１または請求項２において、
前記バッグ本体(5)の側壁部(3) および／または基部(2) に壁面係止手段(8) が設けられたヘルメットインナーバッグである。
請求項４に記載の本発明は、請求項３において、
壁面係止手段(8) として、基部(2) に壁面吸着用の磁石(8a)を有し、その基部(2) の縁にフック係止部(8b)が設けられたヘルメットインナーバッグである。
【０００８】
請求項５に記載の本発明は、請求項１〜請求項４のいずれかにおいて、
前記バッグ本体(5)の上面部(4)が、ヘルメット(1) の内の空洞部に略整合するドーム状の凸面(11)に形成され、前記側壁部(3) に開閉自在なファスナ(9) が設けられたヘルメットインナーバッグである。
請求項６に記載の本発明は、請求項５において、
前記側壁部(3) の上縁に各ヘルメット把持ベルト(6)の一端が止着されたヘルメットインナーバッグである。
請求項７に記載の本発明は、請求項５において、
前記ドーム状の凸面(11)にゴム皮膜を有し、それが自由状態でドームを形成するように弾性的に膨出するヘルメットインナーバッグである。
請求項８に記載の本発明は、請求項１〜請求項７のいずれかにおいて、
前記基部(2) または側壁部(3) に持運び用ベルト(12)が設けられたヘルメットインナーバッグである。
【発明の効果】
【０００９】
本発明のヘルメットインナーバッグは、そのバッグ本体５の基部２がヘルメット１の開口に略整合する形状を有するから、ヘルメット１にバッグ本体５を収納することができる。その状態で、ヘルメット把持ベルト６がヘルメット１の外周を把持するように掛け渡されてバッグ本体５とヘルメット１とが分離しないように構成されたから、迅速に災害時等において必要な用品をバッグ本体５内から取り出して、それを役立てることができる。また、そのバッグ本体５がヘルメット内に収納されていることを、ヘルメット外周のベルト６で常に確認することができる。
【００１０】
上記構成において請求項２に記載のように、バッグ本体５の側壁部３の両側に一対のＶ字状のゴム製のヘルメット把持ベルト６を突設し、そのヘルメット把持ベルト６の先端にバックル７の係止部７ａと係合部７ｂとを取付けて、それらにより両ベルト６の先端どうしを係脱自在に係合した場合には、そのベルト６によりヘルメット１の把持をより安定的に行うことができる。
上記構成において請求項３に記載のように、バッグ本体５の側壁部３および＼または基部２に壁面係止手段８を設けた場合には、ヘルメット１とバッグ本体５とを一体としてどこでも壁面等にそれを取り付け、迅速に非常時等に役立てることができる。
上記構成において請求項４に記載のように、壁面係止手段８として基部２に壁面吸着用の磁石８ａを設けると共に、その基部２の縁にフック係止部８ｂを設けた場合には、事務用机等のスチール製品にヘルメット１と共にバッグ本体５を吸着することができる。さらには、壁面等のフックにそれらを取り付けることが可能となる。
上記構成において請求項５に記載のように、バッグ本体５の上面部４をヘルメット１内の空洞部に略整合するドーム状の凸面１１に形成し、側壁部３に開閉自在なファスナ９を設ける場合には、バッグの収納容積をより多くし、多くの災害用品等を収納することができる。
【００１１】
上記構成において請求項６に記載のように、側壁部３の上縁にヘルメット把持ベルト６一端を係止した場合には、ベルト６をかけたまま、バッグ本体５をヘルメット１と一体化した状態で、バッグ本体５内の防災用品等を取出し、あるいはその交換等をすることができる。
上記構成において請求項７に記載のように、ドーム状の凸面１１にゴム被膜を有し、それが自由状態でドームを形成するように弾性的に膨出するように構成した場合には、体裁の良いバッグとなると共に、収納容積を大きくすることができる。
上記構成において請求項８に記載のように、基部２または側壁部３に持運び用ベルト１２を設けた場合には、被災者等の頭部にヘルメット１を被せ、インナーバッグを腰に付け、または肩にかけて移動することが容易となる。
【発明を実施するための最良の形態】
【００１２】
次に図面に基づいて本発明の実施の形態につき説明する。
図１は本発明のヘルメットインナーバッグ２０の側面図であり、図２は同正面図、図３はその開放状態を示す斜視略図である。そして、図４はその背面略図を示し、図５は同ヘルメットインナーバッグ２０をウエストポーチとして用いた使用状態を示すものであり、図６はそれをショルダーポーチとして用いた状態を示す。
【００１３】
このヘルメットインナーバッグ２０は、バッグ本体５とヘルメット把持ベルト６とを有する。バッグ本体５はヘルメット１の開口に略整合する平坦で剛性を有する基部２と、その基部２の全周縁に立ち上げられた側壁部３とを有し、その側壁部３の上縁がドーム状の上面部４により閉塞されている。そして、その側壁部３の上縁には上面部４の外側に一対の逆Ｖ字状のヘルメット把持ベルト６の根元が取付けられ、それぞれのヘルメット把持ベルト６の先端部の一方側に係止部７ａ、他方側に係合部７ｂが取付けられ、それらによりバックル７を構成し、そのバックル７が着脱自在に形成されている。
【００１４】
基部２の一端には、図１に示す如く、壁面係止手段８としてフック係止部８ｂが突設され、他端には取付け環１３が突設されている。なお、基部２は内部に薄いダンボールや発泡樹脂板等の剛性のあるものが収納され、そこに複数の永久磁石８ａが図４に示す如く固定されている。この磁石８ａは、スチール机等の壁面にバッグ本体５と共にヘルメット１を吸着させるのに充分な磁力を有する。なお、永久磁石はこれに限らず、可撓性を有する磁石等を使用することもできる。
上面部４のドーム状の凸面１１は内部に同一形状のゴム被膜を有し、それが自由状態でドームを形成するように弾性的に膨出するものである。なお、このドーム状の凸面を織布または不織布等を用い、縫製により形成してもよい。この例ではゴム被膜の内面および外面に布が被着されている。側壁部３にはその外周の一部を残し、Ｃ字状にファスナ９が取付けられ、その内部を開閉自在としている。そして、その一部残された部分が開閉のヒンジとなる。
【００１５】
ヘルメットインナーバッグ２０の内部は、図３に示す如く、基部２側に大きく口の開いたポケット状の物入れ袋１５が内装され、その開口部が帯１７とその先端に設けた面ファスナ１８によって開閉自在に閉塞される。さらに物入れ袋１５の内側には薄物入れ１６が設けられ、その開口から比較的薄いティッシュや傷バン等のものが挿脱自在に挿入される。そして、開口の大きな物入れ袋１５には、その帯１７を取外した後に、そこに、比較的厚みのある各種携行用品を収納することができる。
次に、フック係止部８ｂと取付け環１３には、図５、図６に示す如く、持運び用ベルト１２の両端を係脱自在に係止することができる。その持運び用ベルト１２は中間部に図示しないバックルを有し、その両端部に係合部と係止部とが取付けられ、両者が着脱自在に係止されるものである。そして、図５に示す如くヘルメットインナーバッグ２０をウエストポーチとして使用したり、図６のごとくショルダーポーチとしてそれを携行したりすることができる。
【００１６】
（作用）
本発明のヘルメットインナーバッグ２０内には、予め地震や洪水などの災害発生時に有効な携行用品が収納される。その一例として、圧縮したタオル、軍手、Ｔシャツ、ライト、その他を収納し、ファスナ９を閉じ、一対のヘルメット把持ベルト６間を連結するバックル７の係止部７ａ、係合部７ｂを開放する。そして、図１に示す如くバッグ本体５の上面部４にヘルメット１を被せ、ベルト６の係止部７ａ、係合部７ｂを係止する。このとき、ゴム材を有する一対のヘルメット把持ベルト６は引伸ばされて、ヘルメット１を締結把持する。この状態でヘルメットインナーバッグ２０とヘルメット１とが一体化し、両者は分離することがない。そこで、壁面係止手段８のフック係止部８ｂを壁面２２のヘルメットインナーバッグ２０に係止することができる。
【００１７】
なお、バッグ本体５の基部２には磁石８ａを有するので、スチール製事務机の奥の壁面内にヘルメット１と共にヘルメットインナーバッグ２０を吸着させることができる。そして、災害時にはそこからヘルメット１を取出すと、その状態でファスナ９を開放して、バッグ内の非常用品の一部を取り出し、それを身につけることができる。そして、他は収納した状態でファスナ９を閉塞する。そして図５、図６に示す如く、ヘルメット１を被ると共に、マスク等を被着し、腰または肩にヘルメットインナーバッグ２０を取付けて非難することができるものである。
さらには、二輪車のヘルメットの内部に、本発明のヘルメットインナーバッグ２０を収納することもできる。そして、二輪車の乗車時に、インナーバッグはウエストポーチまたはショルダーポーチとして利用でき、車庫入れの際には、そのインナーバッグをヘルメット内に収納して、二輪車のヘルメット収納部に、コンパクトに納めることができる。
【図面の簡単な説明】
【００１８】
【図１】本発明のヘルメットインナーバッグ２０の側面図。
【図２】同正面図。
【図３】同ヘルメットインナーバッグ２０のファスナ９を開放した状態を示す斜視略図。
【図４】同背面図。
【図５】同ヘルメットインナーバッグ２０の使用状態を示す説明図。
【図６】同使用状態を示す説明図。
【符号の説明】
【００１９】
１  ヘルメット
２  基部
３  側壁部
４  上面部
５  バッグ本体
６  ヘルメット把持ベルト
７  バックル
7a  係止部
7b  係合部
８  壁面係止手段
8a  磁石
8b  フック係止部
９  ファスナ
【００２０】
10  凸面部
11  凸面
12  持運び用ベルト
13  取付け環
14  ヒンジ部
15  物入れ袋
16  薄物入れ
17  帯
18  面ファスナ
19  ベルト通し
20  ヘルメットインナーバッグ
21  フック
22  壁面
【図１】
2010136783.tif 000003
【図２】
2010136783.tif 000004
【図３】
2010136783.tif 000005
【図４】
2010136783.tif 000006
【図５】
2010136783.tif 000007
【図６】
2010136783.tif 000008